(57)【要約】【課題】選択された観賞用の画像が印画された印画紙を、その後に他の画像を印画した場合であっても常に観賞することを可能にする。【解決手段】印画紙に印画するサーマルヘッド２１と、印画部で印画された印画紙を収納する収納部３７と、サーマルヘッド２１で印画された印画紙を収納部３７に搬送するための排紙ローラー７と、印画紙に印画する画像及び観賞用の画像を選択するための画像表示部１０及び各種ボタンと、排紙ローラー７によって搬送された印画紙の搬送経路を切り替えるとともに、画像表示部１０及び各種ボタンで選択された観賞用の画像が印画された印画紙を収納部３７に収納せずにこの印画紙を支持する仕切り板５と、観賞用の画像が印画された印画紙を外部から透視可能にする観賞用窓部材４と、仕切り板５を移動させることで観賞用の画像が印画された印画紙を観賞用窓部材４の近傍に移動させるための仕切り部材駆動機構と、を備える。【選択図】図６
2010247945.tif 000002
【特許請求の範囲】
【請求項１】
印画紙に印画する印画部と、
前記印画部で印画された印画紙を収納する収納部と、
前記印画部で印画された印画紙を前記収納部に搬送するための搬送ローラーと、
印画紙に印画する画像及び観賞用の画像を選択するための選択手段と、
前記搬送ローラーによって搬送された印画紙の搬送経路を切り替えるとともに、前記選択手段で選択された前記観賞用の画像が印画された印画紙を前記収納部に収納せずに該印画紙を支持する仕切り部材と、
前記観賞用の画像が印画された前記印画紙を外部から透視可能にする光透過性部材と、
前記仕切り部材を移動させることで前記観賞用の画像が印画された前記印画紙を前記光透過性部材の近傍に移動させるための仕切り部材駆動機構と、
を備える、印画装置。
【請求項２】
前記収納部は、前記光透過性部材に対向する位置に設けられ、
前記収納部に収納された印画紙の背面側には、該印画紙を支持して前記光透過性部材に向かって移動させる背面部材が設けられ、
前記仕切り部材は、前記光透過性部材と前記収納部との間に移動可能に設けられている、請求項１に記載の印画装置。
【請求項３】
前記仕切り部材は、前記収納部に収納された印画紙に対向する位置に、弾性変位部又は微小突起を有する、請求項２に記載の印画装置。
【請求項４】
前記仕切り部材は、光透過性を有する材料で形成されている、請求項２又は３に記載の印画装置。
【請求項５】
前記仕切り部材は、前記収納部に収納された印画紙を視認可能にする枠状に形成されている、請求項２又は３に記載の印画装置。
【請求項６】
前記光透過性部材は、光透過部を有する枠状に形成されている、請求項２ないし５のいずれか１項に記載の印画装置。
【請求項７】
前記仕切り部材駆動機構は、前記仕切り部材の一端部を回転中心として前記仕切り部材を回転することで、前記仕切り部材を前記光透過性部材に対して移動させるギアを有し、
前記仕切り部材の一端部には、前記ギアによって回転されるギア部が設けられている、請求項２ないし６のいずれか１項に記載の印画装置。
【請求項８】
画像の撮影時に記録された画像情報に基づいて、前記印画紙に印画される画像が縦向きと横向きのどちらであるかを判別する判別手段と、
前記判別手段による判別結果に応じて、前記収納部に前記印画紙が収納された後に前記光透過性部材及び前記背面部材に支持された前記印画紙を一体的に回転させる回転機構と、を備える、請求項２ないし７のいずれか１項に記載の印画装置。
【請求項９】
前記回転機構は、前記背面部材に固定された回転軸と、前記回転軸を回転駆動する駆動機構とを有し、
前記光透過性部材には、前記背面部材と係合する係合部材が設けられている、請求項８に記載の印画装置。
【請求項１０】
画像の撮影時に記録された画像情報に基づいて、前記印画紙に印画される画像が縦向きと横向きのどちらであるかを判別する判別手段と、
前記収納部に印画紙を搬送する搬送経路に配置され、前記判別手段による判別結果に応じて前記印画紙の向きを回転させる他の回転機構と、を備える、請求項２ないし９のいずれか１項に記載の印画装置。
【請求項１１】
前記他の回転機構は、同一の回転軸線上に配置された、互いに逆方向に回転して前記印画紙の向きを回転させる第一のローラー及び第二のローラーを有している、請求項１０に記載の印画装置。
【請求項１２】
前記他の回転機構は、同一の回転軸線上に前記第一のローラー及び前記第二のローラーにそれぞれ対向して配置され、互いに逆方向に回転して前記印画紙の向きを回転させる第三のローラー及び第四のローラーを有している、請求項１１に記載の印画装置。
【発明の詳細な説明】
【技術分野】
【０００１】
本発明は、任意に選択された画像が印画された印画紙を観賞用として排紙するための構成を備える印画装置に関する。
【背景技術】
【０００２】
従来、プリンタ、複写機などの印画装置では、印画された印画紙を排紙しやすい位置や、取り出しやすい位置に排紙させることのみが考慮されて構成されている。したがって、印画されて排紙された印画紙は、別途に、写真立てに収納することで、印画された画像を観賞することが可能とされていた。このように印画済みの印画紙を一旦、印画装置から取り出し、別途に用意した写真立てに移し変える作業が必要である。すなわち、一般的に印画装置と観賞用写真立てとは別体に構成されており、印画装置で印画された印画紙が自動的に写真立てに収納されるものではない。そこで、プリンタの排紙トレーをそのまま観賞用窓部材に排紙することで、写真立てとしての機能も備えた印画装置が提案されている（特許文献１参照）。
【０００３】
この特許文献１には、印画紙が、立てた状態にある収納容器内に排紙され、収納容器の透明蓋を介して、観賞用として印画紙を観賞できるように構成されている。この構成では、室内のインテリアとしての見栄えを良くするために、印画前の印画紙や画像形成装置、収納容器が収納装置の背面側に隠されている。
【先行技術文献】
【特許文献】
【０００４】
【特許文献１】特開２００６−３６４４７号公報
【発明の概要】
【発明が解決しようとする課題】
【０００５】
しかしながら、上述した特許文献１の構成では、排紙トレーに収納された印画紙の束の最上面に位置する印画紙を観賞することが可能にされているので、他の画像を印画した場合、観賞用の印画紙の上に新たに印画紙が重ねられて収納されてしまうことになる。したがって、この構成では、常に観賞用となる印画紙を指定することができなかった。
【０００６】
また、この構成では、画像の撮影時の縦横の向きに関する画像情報に応じて、印画紙の向きを切り替えて排紙トレーに排紙することができなかった。このため、観賞可能にされた画像の向きが、観賞用の向きに適していないという不都合があった。
【０００７】
そこで、本発明では、これらの課題を鑑みて、選択された観賞用の画像が印画された印画紙を、その後に他の画像を印画した場合であっても常に観賞することができる印画装置の構造を提供することを目的とする。
【課題を解決するための手段】
【０００８】
上述した目的を達成するため、本発明に係る印画装置は、印画紙に印画する印画部と、印画部で印画された印画紙を収納する収納部と、印画部で印画された印画紙を収納部に搬送するための搬送ローラーと、印画紙に印画する画像及び観賞用の画像を選択するための選択手段と、搬送ローラーによって搬送された印画紙の搬送経路を切り替えるとともに、選択手段で選択された観賞用の画像が印画された印画紙を収納部に収納せずにこの印画紙を支持する仕切り部材と、観賞用の画像が印画された印画紙を外部から透視可能にする光透過性部材と、仕切り部材を移動させることで観賞用の画像が印画された印画紙を光透過性部材の近傍に移動させるための仕切り部材駆動機構と、を備える。
【０００９】
なお、本発明において、印画紙とは、記録用紙に限定するものではなく、記録用紙以外のフィルム等の各種の記録用のシート材を含めて指している。
【発明の効果】
【００１０】
本発明によれば、選択された観賞用の画像が印画された印画紙を、収納部に収納させずに仕切り部材で支持し、他の画像が印画された印画紙を収納部に収納することで、選択された観賞用の印画紙を光透過性部材を介して常に観賞することができる。
【図面の簡単な説明】
【００１１】
【図１】実施形態の印画装置全体を示す斜視図である。
【図２】カセットから分離された印画紙の搬送経路を説明するための断面図である。
【図３】印画動作時の印画紙の搬送経路を説明するための断面図である。
【図４】印画された印画の搬送経路を示す断面図である。
【図５】収納部に収納される印画の搬送経路を示す断面図である。
【図６】観賞用の印画紙が仕切り板の前面に搬送される状態を示す断面図である。
【図７】仕切り板を示す斜視図である。
【図８】収納部に収納された印画紙が仕切り板の背面側に突き当てられた状態を示す断面図である。
【図９】背面板及び観賞用窓部材を回転させる回転機構を説明するための断面図である。
【図１０】背面板を示す斜視図である。
【図１１】回転される観賞用窓部材の構成例を示す平面図である。
【図１２】搬送経路の途中で印画紙の向きを回転させる回転機構を説明するための断面図である。
【図１３】搬送経路の途中で印画紙の向きを回転させる回転機構を説明するための斜視図である。
【発明を実施するための形態】
【００１２】
以下、本発明の実施形態について、図面を参照にして説明する。
【００１３】
（第１の実施形態）
図１は、観賞用窓を有する印画装置全体を示す斜視図である。印画装置は、画像表示部１０と、観賞用窓部材４とを備えている。観賞用窓部材４は、光透過性を有する材料によって形成された光透過性部材であり、観賞用窓部材４の裏面の近傍に配置された印画紙を外部から透視可能にする。つまり、観賞用窓部材４は、筐体３の内部に収納されている印画紙を観賞することを可能にする。
【００１４】
図２から図５は印画紙の移動経路を示す断面図である。これら図２から図５を参照して、印画過程を説明する。本実施形態では、昇華型プリンタを一例に挙げて説明する。図２は、印画紙２がカセット１から分離する動作を説明するための断面図である。
【００１５】
カセット１は、印画前の印画紙２と、インクリボンを有するリボン部とを備えている。まず、印画紙２は、加圧板３４によって背面側から圧力がかけられた状態で、分離ローラー３６が回転駆動することによって、爪分離方式でカセット１から図２中の矢印Ａ方向に引き抜かれる。カセット１から引き抜かれた印画紙２は、搬送用案内板３５に沿って、搬送用ローラ-３１によって搬送される。このときの状態を印画紙２ａで示している。次に、搬送用ローラー３１の回転方向が反転することによって、印画紙２の搬送方向が矢印Ｂ方向に転換される。
【００１６】
図３は、印画紙２に印画している状態を示す断面図である。図３を参照して、印画動作の過程を説明する。印画動作中の状態を印画紙２ｂで示しており、印画部を構成するサーマルヘッド２１とプラテンローラー２２とで印画紙２ｂが挟まれた状態にある。印画紙２は、一対のグリップローラー３２によって搬送されながら、サーマルヘッド２１の発熱によってインクリボンのインクが印画紙２に熱転写される。１色目の印画が終了した後、グリップローラー３２の逆回転することによって、印画紙２は、印画動作時の搬送方向と逆方向に搬送されて印画動作の開始位置まで戻され、２色目以降の印画動作が行われる。このように印画動作を複数回繰り返すことで、印画紙２にイエロー・マゼンタ・シアンの３色のインクを重ねてフルカラー印画を行い、最後にオーバーコートを行って印画動作が終了する。
【００１７】
図４は、印画紙２を排紙している状態を示す断面図である。印画動作が終了した後、図４中の上方向である矢印Ｃ方向に、搬送ローラーとしての排紙ローラー７によって印画紙２が搬送され、排紙ローラー７を通過して印画紙２ｃで示す状態になる。押し出しローラー８は、筐体３に固定されている従動ローラーである。印画紙２は、排紙ローラー７との接触点７ａと、画像表示部１０の裏面側に配置された搬送用案内板３３の上端との接触点３３aがそれぞれ支点となり、押し出しローラー８との接触点８ａが力点となって印画紙２に作用する。そして、印画紙２の下端が矢印Ｃ方向に押され、印画紙２自体のコシを利用することで、印画紙２は、搬送経路が図５中に示す矢印Ｄ方向に方向転換され、印画紙２ｄで示す状態になる。筐体３には、印画紙２を矢印Ｃ方向から矢印Ｄ方向に方向転換するときに、印画紙２の移動を妨げないための開口部３ａが設けられている。
【００１８】
図５は、印画紙２が収納部３７に向かって矢印Ｄ方向に落下する状態を示す断面図である。図５において、印画紙２ｅは、収納部３７に収納された印画済み印画紙の束を示している。排紙用案内板４０は、Ｄ方向に移動する印画紙２を収納部３７内に導くための導入部材であり、印画紙２が、印画紙２ｄで示す状態から印画済み印画紙２ｅの前面、つまり観賞用窓部材４と印画紙２ｅとの間に滑り落ちるように固定されて設けられている。印画紙２が印画紙２ｄで示す状態から下方に滑り落ち、印画済み印画紙２ｅの束の最上面に載置されて収納される。
【００１９】
次に、ユーザーが複数の画像データの中から観賞用として選択された画像が印画された印画紙を、仕切り板５の上に支持されるように自動的に排紙する構造を説明する。
【００２０】
まず、図１を参照して、ユーザーが画像表示部１０を見ながら観賞用画像データを選択し、印画動作を指示するまでの操作を説明する。ユーザーは、画像表示部１０によって表示された画像データの中から、各種ボタンにおける、カーソルボタン１１を用いて、印画紙２に印画する画像を選択し、決定ボタン１２で決定する。印画する全ての画像を選択した後、その印画する画像の中から観賞用として１つの画像をカーソルボタン１１を用いて選択し、観賞用画像決定ボタン１３を押して観賞用の画像として決定する。その後、印画動作開始ボタン１４を押すことで印画動作を開始する。なお、観賞用の画像の選択は、上述のように印画動作の開始前に行うだけでなく、印画動作中でも印画紙が収納部３７内に収納される前に観賞用の画像を選択すれば、その印画紙を観賞用の印画紙として仕切り板５に支持されるように排紙することができる。
【００２１】
図６は、選択した観賞用の印画紙が仕切り板５の前面に受け入れられる状態を示す断面図である。図６を参照して、選択された観賞用の印画紙が、仕切り板５の前面に支持されるように自動的に排紙される構造を説明する。
【００２２】
仕切り板５は、選択された観賞用の印画紙が、常に観賞用窓部材４に対向する位置に保たれるように、観賞用の印画紙を支持するための位置と、他の印画紙を収納部３７に収納するための位置とに回動可能に設けられ、印画紙の搬送経路を切り替える働きをする。すなわち、仕切り板５は、観賞用窓部材４と収納部３７との間に移動可能に設けられている。
【００２３】
印画動作が開始されたとき、観賞用の印画紙の１つ前に印画された印画紙が収納部３７に収納される。このときから、観賞用の印画紙が印画紙２ｄの状態になるまでの間に、図６に示すように、仕切り板５は、観賞用窓部材４の裏面から離された位置に移動された状態になる。
【００２４】
仕切り板５の一端部には、仕切り部材駆動機構を構成する仕切り板制御用モーター（不図示）によって回転されるギア４２に噛み合わされた仕切り板ギア部５ｃが設けられている。仕切り板５は、ギア４２が回転することで、仕切り板ギア部５ｃの回転中心５ａを中心として仕切り板５が矢印Ｅ方向に回転する。仕切り板５の前面の上に観賞用の印画紙が載置された後、ギア４２が逆回転することで、仕切り板５は観賞用窓部材４の裏面に当接する位置に回転される。このように仕切り板５が動作することで、観賞用の印画紙が観賞用窓部材４の裏面の近傍に配置された後、引き続き、残りの画像が印画され、印画された他の印画紙が収納部３７内に順番に収納されていく。
【００２５】
図７は、仕切り板５を示す斜視図である。仕切り板５の待機状態において、仕切り板５の裏面に複数枚の印画紙２ｅの束を介して圧力がかかっている。このため、待機状態で長時間放置した場合、仕切り板５の裏面と、収納部３７に収納された印画紙２ｅの最上面に位置する印画紙とが貼りついてしまう可能性がある。このような場合、排紙された印画紙の受け入れ準備をするために、仕切り板５から離れる方向に後述する背面板９が移動したときであっても、仕切り板５の裏面に印画紙が貼り付いたままで、次の印画紙を印画紙２ｅの束の最上面に収納することができない。あるいは、仕切り板５の裏面に貼り付いた印画紙が次の印画紙の収納動作の妨げになる可能性もある。
【００２６】
これらの問題を回避するために、仕切り板５の四隅には、弾性変位部５ｂがそれぞれ設けられている。これら弾性変位部５ｂは、仕切り板５の裏面側に一端が突出して形成されている。背面板９が仕切り板５から離れる方向に移動するときに、弾性変位部５ｂが仕切り板５の裏面から突出することによって、仕切り板５の裏面に貼り付いた印画紙を引き剥がす働きをする。
【００２７】
また、仕切り板５は、観賞用の印画紙が載置されていないときに、収納部３７の排紙状態を観賞用窓部材４から視認可能にする透過光性を有するように、例えば透明な材料で形成されているのが好ましい。また同様に、仕切り板５は、観賞用の印画紙が載置されていないときに、収納部３７の排紙状態が観賞用窓部材４から視認可能な開口を有する枠状に形成されているのが好ましい。
【００２８】
また、仕切り板５は、弾性変形部５ｂを有する構成の代わりに、背面の表面に微小突起、いわゆるシボ加工部が形成される構成にされてもよく、背面への貼り付きを防止の効果がある。また、仕切り板５は、光透過性を有していればよく、半透明であっても収納部３７内の排紙状態をある程度は確認できるので、上述と同様の効果を得ることができる。
【００２９】
また、実施形態の印画装置は、仕切り板５が枠状や、光透過性を有するように構成された場合、仕切り板５に印画紙が支持されていないときに、収納部３７に収納された印画紙２を観賞するための観賞用写真立てとして機能させることができる。この構成の場合、収納部３７に収納された印画紙２を、仕切り板５の背面側から観賞用窓部材４の裏面側に押し付けることで、収納部３７に収納された印画紙２を観賞することが可能にされる。
【００３０】
図８は、収納部３７に収納された印画紙が仕切り板５の背面側に突き当てられた状態を示す断面図である。図８に示すように、印画装置は、収納部３７に収納された印画紙２ｅの背面側を支持する背面板９を有している。背面板９は、観賞用窓部材４の裏面に印画紙２を押し付けるための背面部材として機能する。
【００３１】
全ての印画紙２が印画され、印画紙２が収納部３７内に収納された後、加圧アーム３４がモーター（不図示）の駆動力によって中心軸３４ａを回転中心として回転する。加圧アーム３４が回転することで、加圧アーム３４に連結されている背面板９が移動され、背面板９を介して印画済み印画紙２は観賞用窓部材４側に押し出され、図８に示す状態になる。これにより、観賞用窓部材４から、収納部３７に収納された印画紙２が観賞可能になり、印画装置が観賞用写真立てとして機能する状態が完了する。
【００３２】
次に、観賞用の印画紙の向きを回転させることが可能な構成について説明する。
【００３３】
図９は、印画紙に印画された画像の縦横の向きに関する情報に基づいて、観賞用窓部材４に対して印画紙２を９０度回転させる機構を説明するための断面図である。背面板９は、中心軸９ａを回転中心として、回転可能に設けられている。
背面板９は、観賞用の印画紙、又は、収納部３７に収納された印画紙２ｅの束の最上面に配置された印画紙における縦向きと横向きのいずれかであるかの画像情報の向きに応じて、収納部３７内への印画紙の収納が完了後に回転する。この構成では、仕切り板５は、枠状や、光透過性を有する材料で形成されており、収納部３７が視認可能にされている。
【００３４】
背面板９は、観賞用窓部材４に近接する前面側に移動された位置で、モーター４５のギア４５ａと背面板ギア部９ｄとが噛み合わされ、モーター４５の回転駆動によって背面板９の回転が行われる。画像の縦向き及び横向きの判別は、画像の撮影時のカメラの向きに応じて、画像データに向き情報として記録されており、その向き情報に基づいて縦向き及び横向きを判別する制御回路部を備えている。その制御回路部による判別結果に応じて、背面板９を自動的に回転させる。また、制御回路部が画像の縦向き及び横向きを判別できない場合には、カーソルボタン１１と決定ボタン１２によってユーザーが任意に決定する。
【００３５】
図１０は、背面板９の裏面側を示す斜視図である。背面板９に設けられたスリット穴９ｂには、観賞用窓部材４から突出された係合部材としてのリブ４ａが挿入されて係合される。背面板９が回転するときに背面板９と観賞用窓部材４とが連結され、背面板９と観賞用窓部材４は一体的に回転される。また、この構成の場合、観賞用窓部材４は、筐体３に回転可能に支持されている。
【００３６】
また、観賞用窓部材４のリブ４ａは、収納部３７に収納された印画紙２ｅの束を支持する受け台としての役割も果たしている。同様にスリット穴９ｃにも観賞用窓部材４から突出されたリブ４ａが挿入され、観賞用窓部材４が９０度回転したときの受けリブになっている。印画紙２が９０度回転して待機状態になっている場合は、印画動作が再開するときに、９０度回転されて、背面板９の向きを一旦戻して印画動作が開始される。
【００３７】
図１１（ａ）、（ｂ）は、観賞用窓部材の構成例を示す平面図である。これら観賞用窓部材４は、外形が、正方形や円形等の上下左右対称な形状に形成されることで、観賞用窓部材４が回転されたときにデザイン的な違和感が生じるのを抑えられるような構成例である。図１１（ａ）、（ｂ）に示すように、観賞用窓部材４は、光透過部としての長方形の透明部４ｂを有する枠状に形成されている。なお、観賞用窓部材４は、長方形の開口部を有する枠状に形成されてもよい。
【００３８】
上述したように、本実施形態によれば、選択された観賞用の画像が印画された印画紙を、収納部３７に収納せずに仕切り板５に支持することで、観賞用窓部材４を通して観賞用の印画紙を観賞可能になる。そして、本実施形態は、観賞用窓部材４を通して観賞用の印画紙を観賞可能な状態で、引き続き、他の画像を印画した場合であっても、他の画像が収納部３７に収納されるので、観賞用の印画紙を常に観賞することができる。
【００３９】
また、本実施形態は、撮影時の画像の縦向き及び横向きに応じて、背面板９及び観賞用窓部材４を回転させることで、収納部３７に収納された印画紙を回転させて観賞することができる。すなわち、画像の縦向き及び横向きに関わらずに、観賞用として適切な向きに観賞用の印画紙を自動的に配置することが可能となる。
【００４０】
（第２の実施形態）
図１２は、搬送経路の途中で印画紙の向きを回転させる排紙ローラーを備える印画装置を示す断面図である。図１３は、撮影時に記録された縦横の向きに関する画像情報に基づいて、縦向き及び横向きの判別を行い、搬送経路の途中で印画紙２の向きを回転させるための回転機構を示す斜視図である。
【００４１】
図１２及び図１３に示すように、第一の軸７ａと第一のローラー７ｂは一体部品であり、第二の軸７ｄと第二のローラー７ｃは一体部品である。それぞれの部品は一対で設けられており、第一の軸７ａと第二の軸７ｄとが同一の回転軸線上に配置されている。また、第一のローラー７ｂと対向して第三のローラー７ｅが配置されており、第二のローラー７ｃと対向して第四のローラー７ｆが配置されている。また、これら第三のローラー７ｅ及び第四のローラー７ｆは、第一のローラー７ｂ及び第二のローラー７ｃと同様に、同地の回転軸線上に配置された第三及び第四の軸（不図示）に一体に設けられている。
【００４２】
印画紙２は、第一のローラー７ｂ及び第二のローラー７ｃと、これらローラー７ｂ、７ｃにそれぞれ対向して配置された第三のローラー７ｅ及び第四のローラー７ｆとの間に挟まれる。この状態で、駆動モーターなどの駆動機構（不図示）によって第一の軸７ａと第二の軸７ｄが各々に対して互いに逆方向に回転することで、印画紙２を回転させ、撮影時の画像の縦横の向きと同じ向きになるように印画紙の向きを回転することが可能となる。このように印画紙２を回転させた後、第一のローラー７ｂと第二のローラー７ｃは同一方向に回転することで、印画紙２を収納部３７に搬送する。
【００４３】
この構成によれば、印画紙を収納部３７に収納する前に印画紙を回転させることが可能になる。したがって、この構成では、例えば、観賞用窓部材４及び背面板９の向きが既に回転されていたときに、背面板９の向きを戻すことなく、印画された印画紙２を回転させて収納部３７に収納することができる。また、本実施形態においても、画像の縦向き及び横向きに関わらずに、観賞用として適切な向きに観賞用の印画紙を自動的に配置することが可能となる。
【００４４】
なお、本実施形態では、観賞用窓部材に対向する位置に、収納部が配置される構成が採られたが、この構成に限定されるものではなく、背面板を有する収納部が他の位置に配置される構成が採られてもよい。収納部は、例えば、印画装置の上部や底面部に配置される構成にされてもよい。なお、上述した実施形態では、観賞用の印画紙を支持する仕切り板と、観賞用でない通常の印画紙が収納される収納部とが隣接する位置に配置される構成を採っている。実施形態では、この構成を採ることで、仕切り板によって切り替えられる２つの搬送経路が複雑化することを避けて、搬送経路の構成の簡素化を図ることができる。
【符号の説明】
【００４５】
２  印画紙
４  観賞用窓部材
５  仕切り板
７  排紙ローラー
１０  画像表示部
１１  カーソルボタン
１２  決定ボタン
１３  観賞用画像決定ボタン
２１  サーマルヘッド
２２  プラテンローラー
３７  収納部
【図１】
2010247945.tif 000003
【図２】
2010247945.tif 000004
【図３】
2010247945.tif 000005
【図４】
2010247945.tif 000006
【図５】
2010247945.tif 000007
【図６】
2010247945.tif 000008
【図７】
2010247945.tif 000009
【図８】
2010247945.tif 000010
【図９】
2010247945.tif 000011
【図１０】
2010247945.tif 000012
【図１１】
2010247945.tif 000013
【図１２】
2010247945.tif 000014
【図１３】
2010247945.tif 000015